(57)【要約】【課題】貯留されたパチンコ玉を小さな操作力で排出することができる操作性の高い遊技機用玉計数装置の玉受皿を提供すること。【解決手段】前記玉受皿１には、  下皿から落下するパチンコ玉を受ける可動プレート５と、  前記可動プレート５で受けたパチンコ玉を計数通路側へ移送するレール４と、  前記可動プレート５を水平保持する平行リンク機構と、  水平方向に移動可能で、昇降ガイド溝を形成したスライダと、を備え、  前記可動プレート５を前記昇降ガイド溝に係合させて前記スライダを水平移動させることによって、前記可動プレート５を上限の非貯留位置と下限の貯留位置との間を水平保持した状態で昇降動させる。【選択図】図２
2011098063.tif 000002
【特許請求の範囲】
【請求項１】
遊技機の下皿に排出されるパチンコ玉を受けてその個数を計数しながら回収する遊技機用玉計数装置の一部を構成し、前記遊技機の下皿の下方に配設されて前記下皿から落下するパチンコ玉を受けて貯留するとともに、貯留したパチンコ玉を計数通路側へ排出する玉受皿において、
前記玉受皿には、
前記下皿から落下するパチンコ玉を受ける可動プレートと、
前記可動プレートで受けたパチンコ玉を計数通路側へ移送するレールと、
前記可動プレートを水平保持する平行リンク機構と、
水平方向に移動可能で、昇降ガイド溝を形成したスライダと、を備え、
前記可動プレートを前記昇降ガイド溝に係合させて前記スライダを水平移動させることによって、前記可動プレートを上限の非貯留位置と下限の貯留位置との間を水平保持した状態で昇降動させることを特徴とする遊技機用玉計数装置の玉受皿。
【請求項２】
前記昇降ガイド溝は、スライダの水平方向の移動に対し、
前記昇降ガイド溝に係合した可動プレートを垂直方向に移動させるために、
一端から他端にかけて斜め上方に向けて傾斜状に形成されていることを特徴とする請求項１記載の遊技機用玉計数装置の玉受皿。
【請求項３】
前記スライダに、該スライダを外部からスライド操作するための操作部を設けたことを特徴とする請求項１又は２記載の遊技機用玉計数装置の玉受皿。
【請求項４】
前記可動プレートを上方へ付勢する付勢手段を設けたことを特徴とする請求項１〜３の何れかに記載の遊技機用玉計数装置の玉受皿。
【請求項５】
前記スライダの昇降ガイド溝には、前記付勢手段によって前記可動プレートを非貯留位置と貯留位置との中間の貯留待機位置に固定するための係止部を形成したことを特徴とする請求項４記載の遊技機用玉計数装置の玉受皿。
【請求項６】
前記可動プレートを水平保持する前記平行リンク機構は、該可動プレートの下方に設けられ、Ｘ字状に連結された一対のリンクアームによって構成されることを特徴とする請求項１〜５の何れかに記載の遊技機用玉計数装置の玉受皿。
【請求項７】
前記レールの下方には、
先端に玉止片が形成された玉止シャッタを備え、
前記スライダにシャッタガイド溝を形成し、
前記玉止シャッタを前記シャッタガイド溝に係合させ、
該玉止シャッタを前記スライダの水平移動に連動して、
前記可動プレートが貯留待機位置及び貯留位置にあるときに前記玉止シャッタの先端に形成された前記玉止片が前記レールに突出するようにしたことを特徴とする請求項１〜６の何れかに記載の遊技機用玉計数装置の玉受皿。
【発明の詳細な説明】
【技術分野】
【０００１】
本発明は、遊技機の下皿の下方に配設されて下皿から落下するパチンコ玉を受けて貯留するとともに、貯留したパチンコ玉を必要に応じて排出するための遊技機用玉計数装置の玉受皿に関するものである。
【背景技術】
【０００２】
従来、遊技機において遊技客が獲得したパチンコ玉は専用のケースに収納され、このケースを玉計数装置或いは景品交換所まで運び、獲得したパチンコ玉の個数を計数することが行われていた。
【０００３】
ところが、パチンコ玉の数が多い場合には、その数に比例してケース重量が重くなり、重いケースを玉計数装置或いは景品交換所まで運ぶ作業には多大な労力を要し、又、パチンコ玉が収容された複数のケースを遊技客の足元周辺に積み上げると他の遊技客や遊技場店員の通行の邪魔になる。更に、パチンコ玉がケースに収容されたままの状態では、このパチンコ玉は遊技に供せられないため、遊技場全体で必要なパチンコ玉の個数が多くなるという問題もある。
【０００４】
そこで、遊技客が獲得したパチンコ玉を遊技機に隣設された玉貸機の内部を通過させ、遊技機の背面側の遊技島内へと移送して回収するとともに、パチンコ玉を移送する過程でその個数を計数し、計数された個数をカード等の媒体に記憶させて該媒体を遊技客に提供し、遊技客は提供された媒体を景品交換所に持ち込んで所望の景品と交換するというシステムが提案されている（例えば、特許文献１参照）。
【０００５】
上記システムを構成する遊技機用玉計数装置は、遊技機の下皿の下方に配設された玉受皿と、玉貸機の内部に形成された計数通路と、該計数通路と前記玉受皿とを連結する連結通路と、前記計数通路に設けられた計数センサによって構成されている。
【０００６】
上述のように構成された遊技機用玉計数装置においては、遊技機の下皿から落下するパチンコ玉は玉受皿で受けられ、この受けられたパチンコ玉は、連結通路及び計数通路を移送された遊技機の背面側の遊技島内へと回収されるとともに、計数通路を移送される過程でその個数が計数センサによって計数される。
【０００７】
ところで、遊技客の中には自分が獲得したパチンコ玉を誇示したいという欲求を持つ者も多いが、前記システムを採用すると、遊技客が獲得したパチンコ玉は直ちに回収されて計数されるために玉受皿にパチンコ玉を溜めておくことができず、遊技客の前記欲求を満たすことができない。
【０００８】
そこで、特許文献２には、パチンコ玉を受ける可動プレートと、該可動プレートを上限の非貯留位置と下限の貯留位置との間で昇降動させる上下昇降装置を設け、可動プレートが貯留位置にある状態で下皿から落下するパチンコ玉を貯留し、必要に応じて上下昇装置構のスライダを水平移動させて可動プレートを非貯留位置まで上動させて貯留したパチンコ玉を排出して計数通路へと移送するようにした玉受皿が提案されている。
【先行技術文献】
【特許文献】
【０００９】
【特許文献１】特開２００９−０４５２０３号公報
【特許文献２】特開２００９−０３９２３４号公報
【発明の概要】
【発明が解決しようとする課題】
【００１０】
しかしながら、特許文献２において提案された玉受皿では、可動プレートを昇降動させる上下昇降装置としてＸ字状に連結された一対のリンクアームによって構成されているため、下限の貯留位置においてパチンコ玉が貯留された可動プレートを非貯留位置まで上昇させてパチンコ玉を排出する場合、貯留位置において畳まれた状態にあるリンクアームに作用する操作力の垂直上方の分力（可動プレートを持ち上げようとする力）が小さいため、パチンコ玉が貯留されて重い可動プレートを持ち上げるには大きな操作力を必要とし、操作性が甚だ悪いという問題があった。
【００１１】
本発明は上記問題に鑑みてなされたもので、その目的とする処は、貯留されたパチンコ玉を小さな操作力で排出することができる操作性の高い遊技機用玉計数装置の玉受皿を提供することにある。
【課題を解決するための手段】
【００１２】
上記目的を達成するため、請求項１記載の発明は、遊技機の下皿に排出されるパチンコ玉を受けてその個数を計数しながら回収する遊技機用玉計数装置の一部を構成し、前記遊技機の下皿の下方に配設されて前記下皿から落下するパチンコ玉を受けて貯留するとともに、貯留したパチンコ玉を計数通路側へ排出する玉受皿において、
前記玉受皿には、
前記下皿から落下するパチンコ玉を受ける可動プレートと、
前記可動プレートで受けたパチンコ玉を計数通路側へ移送するレールと、
前記可動プレートを水平保持する平行リンク機構と、
水平方向に移動可能で、昇降ガイド溝を形成したスライダと、を備え、
前記可動プレートを前記昇降ガイド溝に係合させて前記スライダを水平移動させることによって、前記可動プレートを上限の非貯留位置と下限の貯留位置との間を水平保持した状態で昇降動させることを特徴とする。
【００１３】
請求項２記載の発明は、請求項１記載の発明において、前記昇降ガイド溝は、スライダの水平方向の移動に対し、
前記昇降ガイド溝に係合した可動プレートを垂直方向に移動させるために、
一端から他端にかけて斜め上方に向けて傾斜状に形成されていることを特徴とする。
【００１４】
請求項３記載の発明は、請求項１又は２記載の発明において、前記スライダに、該スライダを外部からスライド操作するための操作部を設けたことを特徴とする。
【００１５】
請求項４記載の発明は、請求項１〜３の何れかに記載の発明において、前記可動プレートを上方へ付勢する付勢手段を設けたことを特徴とする。
【００１６】
請求項５記載の発明は、請求項４記載の発明において、前記スライダの昇降ガイド溝には、前記付勢手段によって前記可動プレートを非貯留位置と貯留位置との中間の貯留待機位置に固定するための係止部を形成したことを特徴とする。
【００１７】
請求項６記載の発明は、請求項１〜５の何れかに記載の発明において、前記可動プレートを水平保持する前記平行リンク機構は、該可動プレートの下方に設けられ、Ｘ字状に連結された一対のリンクアームによって構成されることを特徴とする。
【００１８】
請求項７記載の発明は、請求項１〜６の何れかに記載の発明において、前記レールの下方には、
先端に玉止片が形成された玉止シャッタを備え、
前記スライダにシャッタガイド溝を形成し、
前記玉止シャッタを前記シャッタガイド溝に係合させ、
該玉止シャッタを前記スライダの水平移動に連動して、
前記可動プレートが貯留待機位置及び貯留位置にあるときに前記玉止シャッタの先端に形成された前記玉止片が前記レールに突出するようにしたことを特徴とする。
【発明の効果】
【００１９】
請求項１記載の発明によれば、可動プレートを昇降ガイド溝に係合させてスライダを水平移動させることによって、前記可動プレートにパチンコ玉が貯留されていても、該可動プレートを上限の非貯留位置と下限の貯留位置との間を水平保持した状態で容易に昇降動させることができる。
【００２０】
請求項２記載の発明によれば、昇降ガイド溝をスライダの水平方向の移動に対し、前記昇降ガイド溝に係合した可動プレートを垂直方向に移動させるために一端から他端にかけて斜め上方に向けて傾斜状に形成することによって、下限の貯留位置においてパチンコ玉が貯留された可動プレートを上限の非貯留位置まで持ち上げる際にスライダを移動させるための操作力の垂直上方の分力（可動プレートを持ち上げようとする分力）が比較的大きいため、可動プレートを非貯留位置まで比較的小さな力で操作性良く容易に持ち上げてパチンコ玉を排出することができる。
【００２１】
請求項３記載の発明によれば、玉受皿の外部からスライダを水平移動させる操作部を備えたため、可動プレートの昇降動を駆動部等（モータ等）を用いる必要がなく、下皿から落下するパチンコ玉を安価な構成で貯留、排出可能とする玉受皿を提供することができる。
【００２２】
請求項４記載の発明によれば、下限の貯留位置において可動プレートに貯留されているパチンコ玉を排出するに際して可動プレートを持ち上げる場合、付勢手段が可動プレートの持ち上げを補助（アシスト）するため、必要な操作力が軽減されて操作性が更に高められる。そして、貯留されるパチンコ玉が次第に増えると、可動プレートはパチンコ玉の自重によって下限の貯留位置まで降下することが可能となる。
【００２３】
請求項５記載の発明によれば、スライダの昇降ガイド溝に形成された係止部に可動プレートを付勢手段によって係止することによって、該可動プレートを上限の非貯留位置と下限の貯留位置との中間の、下皿から落下するパチンコ玉を受け入れ可能な貯留待機位置に固定することが可能となり、この貯留待機位置においてパチンコ玉を可動プレートで受けて貯留することができる。
【００２４】
請求項６記載の発明によれば、Ｘ字状に連結された一対のリンクアームによって平行リンク機構を構成することによって、可動プレート上にパチンコ玉が貯留されても、該可動プレートの水平状態を維持することができる。
【００２５】
請求項７記載の発明によれば、可動プレートが貯留待機位置及び下限の貯留位置にあるときに玉止シャッタの先端に形成された玉止片がレールに突出するため、貯留待機位置及び下限の貯留位置にある可動プレートにパチンコ玉を貯留したい場合にレール側に跳ねたパチンコ玉が排出されることなく可動プレートで受けたパチンコ玉を確実に貯留することができる。
【図面の簡単な説明】
【００２６】
【図１】遊技機用玉係数装置を設置した遊技機の斜視図である。
【図２】遊技機用玉係数装置の斜視図である。
【図３】（ａ），（ｂ）は本発明に係る玉受皿の斜視図である。
【図４】（ａ）〜（ｃ）は本発明に係る玉受皿の正断面図である。
【図５】（ａ）〜（ｃ）は本発明に係る玉受皿の側断面図である。
【図６】可動プレートと平行リンク機構を斜め下方から見た斜視図である。
【図７】可動プレートと平行リンク機構を示す図であって、（ａ）は平面図、（ｂ）は正面図、（ｃ）は底面図である。
【図８】本発明に係る玉受皿から上カバーと可動プレートを取り外して示す斜視図である。
【図９】スライダを示す図であって、（ａ）はスライダの一方の昇降部材を内側から見た図、（ｂ）は正面側から見た斜視図、（ｃ）は背面側から見た斜視図である。
【図１０】（ａ）〜（ｃ）は可動プレートの昇降ガイド溝に沿う移動軌跡を示す図である。
【図１１】（ａ）〜（ｃ）は玉止シャッタの作用を示す部分斜視図である。
【発明を実施するための形態】
【００２７】
以下に本発明の実施の形態を添付図面に基づいて説明する。
【００２８】
図１は遊技機用玉係数装置を設置した遊技機の斜視図、図２は遊技機用玉係数装置の斜視図、図３（ａ），（ｂ）は本発明に係る玉受皿の斜視図である。
【００２９】
図１に示すように、遊技場等に設置されている遊技機４０の側部には玉貸機５０が隣設されており、この玉貸機５０の前面上部には縦方向に長いスリット状の紙幣挿入口５１が形成され、高さ方向中間部には水平方向に回動可能な玉払ノズル５２が設けられている。又、玉貸機５０の玉払ノズル５２の下方の前面下部には表示部５３が設けられている。
【００３０】
遊技機４０の前面には、前記玉貸機５０に設けられた玉払ノズル５２からパチンコ玉の払い出しを受ける上皿４１が突設されており、この上皿４１の下方には下皿４２が配置され、その下方には本発明に係る玉受皿１が配置されている。
【００３１】
本発明に係る上記玉受皿１は、図２に示す出玉計数装置３０の一部を構成するものであって、出玉計数装置３０は、玉受皿１の他、前記玉貸機５０の内部に形成された不図示の計数通路と、該計数通路と玉受皿１とを連結する連結通路３１と、計数通路の途中に設けられた不図示の計数センサによって構成されている。尚、連結通路３１は玉受皿１から横方向に水平に延びた後、玉貸機５０に向かって略直角に折り曲げられ、その端部は玉貸機５０の内部に形成された計数通路に接続されている。そして、これらの連結通路３１と計数通路は、パチンコ玉の移送方向に沿って下がるよう傾斜している。又、前記計数センサとしては、金属製のパチンコ玉の通過を電磁気的に検知してそのパチンコ玉の個数を計数する貫通型近接スイッチ等が使用される。
【００３２】
本発明に係る玉受皿１は、上ケース１Ａと下ケース１Ｂを上下に接合一体化して矩形ボックス状に成形されており、その奥側には、幅方向に沿うガイド部２が形成され、その手前側には貯留部３が形成されている。そして、ガイド部２の奥側にレール４が形成されており、このレール４は、連結通路３１に向かって下がるよう傾斜しており、その幅方向一端（パチンコ玉の流れ方向下流端）は、玉受皿１の内側面に形成された矩形切欠き状の開口部１ａを介して連結通路３１に接続されている。
【００３３】
又、玉受皿１の前記貯留部３には、その開口部を覆うように略水平な可動プレート５が昇降動可能に設けられており、この可動プレート５は、玉受皿１の下ケース１Ｂの前面に突出する操作レバー６を横方向にスライド操作することによって図３（ａ）に示す上限の非貯留位置と図３（ｂ）に示す下限の貯留位置の間を昇降動する。
【００３４】
更に、玉受皿１の背面側には、該玉受皿１の背面と遊技機４０の前面下部との間の隙間を遮蔽するための隙間遮蔽部材７が前後方向（遊技機４０の正面に向かって手前側と奥側）に移動可能に支持されている。尚、この隙間遮蔽部材７の表面と、可動プレート５の表面と、ガイド部２の表面には、パチンコ玉の飛び跳ねと騒音を抑えるためにゴム等の弾性材が貼設されている。
【００３５】
ところで、前記可動プレート５は、前述のように操作レバー６を横方向にスライド操作することによって貯留部３内を昇降動するが、その昇降動は玉受皿１内に収容された昇降機構によってなされる。
【００３６】
次に、昇降機構の構成の詳細を図４〜図１１に基づいて説明する。
【００３７】
図４（ａ）〜（ｃ）は玉受皿の正断面図、図５（ａ）〜（ｃ）は同玉受皿の側断面図、図６は可動プレートと平行リンク機構を斜め下方から見た斜視図、図７は可動プレートと平行リンク機構を示す図であって、（ａ）は平面図、（ｂ）は正面図、（ｃ）は底面図、図８は玉受皿から上カバーと可動プレートを取り外して示す斜視図、図９はスライダを示す図であって、（ａ）はスライダの一方の昇降部材を内側から見た図、（ｂ）は正面側から見た斜視図、（ｃ）は背面側から見た斜視図、図１０（ａ）〜（ｃ）は可動プレートの昇降ガイド溝に沿う移動軌跡を示す図、図１１（ａ）〜（ｃ）は玉止シャッタの作用を示す部分斜視図である。
【００３８】
前記可動プレート５は、図６及び図７に示すように、逆トレー状に成形され、その上面は玉受面５Ａを構成しており、周壁の５箇所にはピン状のプレートガイド８が外方に向かって水平に突設されている。そして、各プレートガイド８は、図３（ｂ）に示すように、上ケース１Ａの貯留部３の周壁の一部に上下方向に形成されたスリット状のガイド溝１ｂに係合しており、可動プレート５はガイド溝１ｂに沿って昇降動することができる。又、図７に示すように、可動プレート５は周壁の手前側（前側）と奥側（後側）の各１箇所に、可動プレート５の略中心に対して対称に配されたブレートガイドローラ９が回転可能に突設されている。
【００３９】
更に、図６及び図７（ｃ）に示すように、可動プレート５の天面の左右方向両端部にはブロック状のアームガイド１０がそれぞれ設けられており、これらのアームガイド１０の左右方向外側には丸棒状のバネ軸１１がそれぞれ垂直下方に向かって一体に突設されている。尚、各アームガイド１０の前後（手前側と奥側）には、断面矩形のガイド溝１０ａが左右方向に貫設されている。
【００４０】
以上のように構成された可動プレート５は、その下方に設けられた平行リンク機構によって玉受皿１の前記貯留部３内を下ケース１Ｂに対して水平を保った状態で昇降動可能に支持されている。ここで、平行リンク機構は、図６及び図７に示すように、正面視Ｘ字状に連結した一対のリンクアーム１２，１３を左右方向に２組配置するとともに、各組のリンクアーム１２，１３のうちの一方のリンクアーム１２の下端部同士を水平なアーム連結板１４によって連結して構成されている。
【００４１】
各組の一対のリンクアーム１２，１３同士はその中間部が軸１５によって回動可能に連結されており、内側に配された一方のリンクアーム１２の上端には内側に向かって水平に延びる一対のピン１２ａが一体に形成され、同リンクアーム１２の下端には切欠円孔状の軸孔１２ｂが形成されている。そして、このリンクアーム１２の上端に形成された一対のピン１２ａは、可動プレート５に形成された前記アームガイド１０のガイド溝１０ａに摺動可能に係合しており、同リンクアーム１２の下端部は、図４に示すように、下ケース１Ｂの底面の左右にそれぞれ突設された軸受部１ｃによって回動可能に軸支されている。即ち、各軸受部１ｃの両端面には軸１ｄが前後に向かって水平に突設されており、各軸１ｄをリンクアーム１２の下端に形成された軸孔１２ｂに通すことによって、リンクアーム１２の下端が軸受部１ｃを介して下ケース１Ｂに回動可能に連結されている。
【００４２】
又、図８に示すように、外側に配された他方のリンクアーム１３の上端と下端には外側に向かって水平に延びる一対のピン１３ａ，１３ｂがそれぞれ一体に形成されており、上端に形成された一対のピン１３ａは、図４及び図６に示すように、可動アーム５の天面の左右に一体に形成された前後一対の各軸受部５ａに回動可能に支持されている。そして、リンクアーム１３の下端部に形成された一対のピン１３ｂは、図４及び図８に示すように、アーム連結板１４の左右両端部に一体に突設された前後一対の軸受部１４ａによって回動可能に支持されており、各ピン１３ｂの各軸受部１４ａから外方に突出する先端部は、図４、図５及び図８に示すように、下ケース１Ｂの底面上の左右に一体に形成された前後一対のアームガイド１６に左右方向に摺動可能に係合している。ここで、前後一対のアームガイド１６は、内側が開口する横断面コの字状の部材であって、その開口凹部に各リンクアーム１３の下端に形成されたピン１３ｂが摺動可能に係合している。
【００４３】
上述のようにリンクアーム１３の下端に形成されたピン１３ｂがアーム連結板１４の軸受部１４ａによって回動可能に軸支されるとともに、同ピン１３ｂの先端部が下ケース１Ｂに形成されたアームガイド１６に係合することによって、アーム連結板１４は、アームガイド１６によって上下方向の位置が規制されながら下ケース１Ｂの底面上を左右に摺動するが、図５及び図６に示すように、該アーム連結板１４の下面の前後には左右方向に平行に延びるガイドレール１４ｂが一体に突設されている。そして、各ガイドレール１４ｂの左右両端部には円弧状の凸部１４ｃがそれぞれ一体に形成されている。
【００４４】
他方、図５及び図８に示すように、下ケース１Ｂの底面上の前後には左右方向に延びるガイド溝１ｅが平行に形成されており、これらのガイド溝１ｅにはアーム連結板１４の底面に形成された前記ガイドレール１４ｂが嵌合している。従って、アーム連結板１４は、下ケース１Ｂの底面に形成されたガイド溝１ｅに沿って左右に摺動することができる。尚、下ケース１Ｂのガイド溝１ｅの底面にはアーム連結板１４のガイドレール１４ｂに形成された凸部１４ｃが接触するため、アーム連結板１４の摺動抵抗は小さく抑えられ、該アーム連結板１４は下ケース１Ｂの底面上を左右にスムーズに摺動することができる。
【００４５】
ところで、図８に示すように、玉受皿１の奥側には左右方向に延びる３枚の縦リブ１７が前後方向に互いに平行に立設されており、これらの縦リブ１７の上面は、開口部１ａに向かって下がるよう傾斜した２条のレール４を構成している。
【００４６】
又、下ケース１Ｂの手前側の貯留部３には左右方向に摺動するスライダ１８が設けられており、このスライダ１８は、アーム連結板１４を挟んでこれの前後に左右方向にオフセットして配された２つの昇降部材１９，２０と、これらの昇降部材１９，２０同士を連結する水平な連結部材２１によって構成されている。
【００４７】
２つの上記昇降部材１９，２０の各内面には、図９に示すような円弧状の昇降ガイド溝１９Ａ，２０Ａが対称的に、スライダ１８の水平方向の移動に対し一端から他端にかけて斜め上方に傾斜状に形成されている。各ガイド溝１９Ａ，２０Ａは、右端が最も低く、そこから左方に向かうに従って高さが次第に高くなり、左端において高さが最も高くなっている。そして、昇降ガイド溝１９Ａ，２０Ａの高さが最も低い右端に近い側の中間部には上に向かって切り欠かれた係止部１９ａ，２０ａが形成されている（図９（ｂ），（ｃ）参照）。
【００４８】
又、図９（ｃ）に示すように、奥側の昇降部材２０の外面にはシャッタガイド溝２０Ｂが形成されており、このシャッタガイド溝２０Ｂは、左右方向に延びる高低の２つの水平部２０ｂ，２０ｃを傾斜部２０ｄで連結して構成されている。これに対して、手前側の昇降部材１９の外面には前記操作レバー６が取り付けられており、図１〜図３に示すように、操作レバー６は、玉受皿１の下ケース１Ｂの前面凹部上側に形成された左右方向に長い貫通孔１ｆを貫通して手前側に突出しており、貫通孔１ｆ内を移動し得る範囲で左右にスライド操作される。
【００４９】
ここで、図９（ｃ）に示すように、手前側の昇降部材１９の内面下部にはリブ状のガイド突起１９ｂが左右方向に沿って水平に突設されており、奥側の昇降部材２０の外面にも同様のガイド突起２０ｅが左右方向に沿って水平に突設されている。
【００５０】
他方、図８に示すように、下ケース１Ｂの底面上には左右方向に平行に延びる２本のリブ１ｇの間に形成されるガイド溝１ｈが奥側と手前側に設けられており、スライダ１８の手前側と奥側の昇降部材１９，２０は各ガイド溝１ｈに沿って左右に移動することができる。尚、図１０に示すように、昇降部材１９，２０の下部左右にはローラ２２が回転可能に軸支されており（図１０には奥側の昇降部材２０のみ示す）、両昇降部材１９，２０は、ローラ２２の転動によって下ケース１Ｂのガイド溝１ｈに沿って左右にスムーズに移動することができる。
【００５１】
而して、図４及び図５に示すように、玉受皿１の貯留部３には、該貯留部３を上方から覆うように可動プレート５が平行リンク機構と共に収容されるが、該可動プレート５の周壁の手前側と奥側に設けられた前記プレートガイドローラ９は、スライダ１８の昇降部材１９，２０に形成された各昇降ガイド溝１９Ａ，２０Ａに転動可能に係合している。従って、操作レバー６を玉受皿１の外部から操作してスライダ１８を左右に移動させると、可動プレート５は、スライダ１８の昇降部材１９，２０に形成された昇降ガイド溝１９Ａ，２０Ａに沿って昇降動する。ここで、可動プレート５は、図４及び図５に示すように、その左右２箇所において該可動プレート５と下ケース１Ｂとの間に縮装された付勢手段としてのスプリング２３によって上方に付勢されている。尚、各スプリング２３は、可動プレート５に形成された前記バネ軸１１の外周に巻装され、その下端部は下ケース１Ｂの底面上に立設された円筒状のバネ受け２４によって受けられている。
【００５２】
ところで、可動プレート５の略中心に対して対称に配されたプレートガイドローラ９を、アーム連結板１４を挟んでこれの前後にオフセットして配された昇降部材１９，２０にそれぞれ係合させることによって、可動プレート５を平行リンク機構を併せて、より水平状態を維持しながら安定的に昇降動させることが可能となる。
【００５３】
又、図１１に示すように、下ケース１Ｂにはアーム状の玉止シャッタ２５が回動可能に軸支されている。この玉止シャッタ２５は、その基端部が嵌合突起２５ａによって下ケース１Ｂに対して上下に回動可能に軸支されており、その先端部には矩形プレート状の４枚の玉止片２５Ａが適当な間隔を設けて直角に立設されており、図８に示すように、これらの玉止片２５Ａは、レール４を構成する前記縦リブ１７の間の隙間に配置されている。
【００５４】
そして、玉止シャッタ２５の先端部（内側の玉止片２５Ａの側部）にはシャッタガイド突起２６が水平に突設されており、このシャッタガイド突起２６は、スライダ１８の奥側の昇降部材２０の外面に形成された前記シャッタガイド溝２０Ｂに係合している。従って、後述のように操作レバー６を操作してスライダ１８を左右に移動させれば、この動作に連動して玉止シャッタ２５が嵌合突起２５ａを中心として玉受皿１のレール４に対して出没するとともに、前述のように可動プレート５が昇降動する。
【００５５】
次に、以上のように構成された玉受皿１の作用を図３〜図５、図１０及び図１１に基づいて説明する。
【００５６】
例えば図３（ａ）、図４（ａ）及び図５（ａ）に示すように可動プレート５が上限である非貯留位置（貯留したパチンコ玉を排出する位置）にあるときには、該可動プレート５のプレートガイドローラ９は、図１０（ａ）に示すように昇降部材２０に形成された昇降ガイド溝２０Ａの高さが最も高い左限位置にある。尚、図１０には一方の昇降部材２０のみ示すが、他方の昇降部材１９についても昇降ガイド溝１９Ａ内でのプレートガイドローラ９の挙動は同じであるため、これについての図示及び説明は省略する。
【００５７】
又、可動プレート５が非貯留位置にあるときには、図１１（ａ）に示すように、玉止シャッタ２５のシャッタガイド突起２６は昇降部材２０のシャッタガイド溝２０Ｂの低い側の水平部２０ｃに係合しており、その先端部に形成された玉止片２５Ａは、図３（ａ）に示すようにレール４から退避して突出していない。この状態では、可動プレート５上にはパチンコ玉が貯留されず、遊技機４０の下皿４２（図１参照）から落下して玉受皿１に受けられたパチンコ玉は、玉受皿１に貯留されることなく可動プレート５の玉受面５Ａの傾斜に沿ってレール４へと移動し、連結通路３１（図１及び図２参照）から計数通路を通って回収され、その過程で計数センサによって個数が計数される。尚、可動プレート５が非貯留位置にあるときには、操作レバー６は図３（ａ）に示すように下ケース１Ｂの前面に形成された貫通孔１ｆの右限に位置しており、図４（ａ）に示すように平行リンク機構の一対のリンクアーム１２，１３は最も起立した状態にある。
【００５８】
而して、上述のように可動プレート５が非貯留位置にある玉受皿１にパチンコ玉を貯留する場合には、右限にある操作レバー６を操作してスライダ１８を左方へ移動させると、例えば一方の昇降部材２０について考えると、該昇降部材２０に形成された昇降ガイド溝２０Ａに対して可動プレート５のプレートガイドローラ９が図１０（ｂ）に矢印にて示すように相対的に右方へ移動する。このようにプレートガイドローラ９が昇降ガイド溝２０Ａに対して相対移動する（実際には、昇降ガイド溝２０Ａが移動する）と、可動プレート５はスプリング２３の上方への付勢力に抗して下降し、プレートガイドローラ９が図１０（ｂ）に実線にて示すように昇降ガイド溝２０Ａの途中に形成された係止部２０ａに達下時点で、該プレートガイドローラ９はスプリング２３の付勢力によって係止部２０ａに係止されて停止する。
【００５９】
上記状態が貯留待機状態であって、可動プレート５は、図２、図４（ｂ）及び図５（ｂ）に示すように所定量だけ下降した貯留待機位置において停止する。このときの昇降部材２０の移動によって、玉止シャッタ２５のシャッタガイド突起２６は、図１１（ｂ）に示すようにシャッタガイド溝２０Ｂの低い側の水平部２０ｃから傾斜部２０ｄを経て高い側の水平部２０ｂへと係合が移動するため、玉止シャッタ２５は嵌合突起２５ａを中心として上方（図示矢印方向）に回動し、図２及び図３（ｂ）に示すと同様にレール４から突出する。又、可動プレート５が下降すると、図４（ｂ）に示すように平行リンク機構の各一対のリンクアーム１２，１３は幾分折り畳まれた状態となり、アーム連結板１４は下ケース１Ｂに形成されたアームガイド１６に沿って左方へと移動し、リンクアーム１２のピン１２ａは可動プレート５に形成されたアームガイド１０に沿って摺動する。
【００６０】
上記貯留待機位置にある可動プレート５上に下皿４２から落下するパチンコ玉が貯留され、パチンコ玉の重量がスプリング２３の上方への付勢力を超えて増大すると、可動プレート５のプレートガイドローラ９は、図１０（ｃ）に示すように、昇降部材２０の昇降ガイド溝２０Ａに形成された係止部２０ａから下方へ移動し、その後は昇降ガイド溝２０Ａに沿って移動して実線にて示す右限まで移動して停止する。この状態では、可動プレート５は図４（ｃ）及び図５（ｃ）に示す下限の貯留位置まで下降することとなり、この状態で可動プレート５上にパチンコ玉が貯留部３の容量分だけ貯留され、遊技客は自分が獲得したパチンコ玉を誇示したいという欲求を満足させることができる。
【００６１】
上記のように可動プレート５が下限の貯留位置にある状態では、玉止シャッタ２５のシャッタガイド突起２６は昇降部材２０のシャッタガイド溝２０Ｂの高い側の水平部２０ｂを移動するだけであるため、図１１（ｃ）に示すように玉止シャッタ２５は図１１（ｂ）に示す貯留待機位置の状態と同じ状態を保ち、その先端に形成された玉止片２５Ａが図３（ｂ）に示すようにレール４から上方に突出し、貯留中のパチンコ玉がレール４側に跳ねても、このパチンコ玉がレール４に沿って移動して回収されるということがなく、可動プレート５上に落下する全てのパチンコ玉が貯留部３に貯留される。又、可動プレート５が貯留位置にあるときには、平行リンク機構を構成する各一対のリンクアーム１２，１３は図４（ｃ）に示すように略水平に折り畳まれている。
【００６２】
而して、貯留位置にある可動プレート５上に貯留されたパチンコ玉をレール４へと排出する場合には、図３（ｂ）に示すように下ケース１Ｂの前面に形成された貫通孔１ｆの左限にある操作レバー６を操作してこれを右方へと移動させれば、スライダ１８も同方向に移動し、図１０（ｄ）に示すように、昇降部材２０の昇降ガイド溝２０Ａの最も低い右限にあったプレートガイドローラ９が昇降ガイド溝２０Ａに沿って矢印方向に移動し、これに伴って可動プレート５は上昇し始める。尚、このとき、昇降ガイド溝２０Ａからプレートガイドローラ９に作用する操作力をＦとすると、その操作力Ｆの可動プレート５を持ち上げようとする垂直分力Ｆ１は従来の値よりも大きいため、操作レバー６を操作する操作力Ｆ２は従来よりも小さくて済み、可動プレート５をこれに貯留されたパチンコ玉と共に容易に持ち上げることができる。
【００６３】
そして、プレートガイドローラ９が図１０（ｄ）に実線にて示すように昇降ガイド溝２０Ａの最も高い左限に達すると、可動プレート５は図３（ａ）に示す上限の非貯留位置で停止し、これに貯留されていたパチンコ玉がレール４へと移動して排出され、排出されたパチンコ玉は、レール４に沿って図１及び図２に示す連結通路３１から不図示の計数通路を移送されて回収されるとともに、その個数が計数センサによって計数される。尚、このとき、玉止シャッタ２５の玉止片２５Ａは図３（ａ）に示すように退避してレール４から突出していないため、パチンコ玉はそのままレール４へと流れて回収される。
【００６４】
以上のように、本実施の形態では、可動プレート５をスライダ１８の昇降部材１９，２０にそれぞれ形成された昇降ガイド溝１９Ａ，２０Ａに係合させてスライダ１８を水平移動させることによって、可動プレーと５にパチンコ玉が貯留されていても、該可動プレート５を上限の非貯留位置と下限の貯留位置との間を水平保持した状態で容易に昇降動させることができる。
【００６５】
又、昇降ガイド溝１９Ａ，２０Ａをスライダ１８の水平方向の移動に対し、昇降ガイド溝１９Ａ，２０Ａに係合した可動プレート５を垂直方向に移動させるために一端から他端にかけて斜め上方に向けて傾斜状に形成することによって、下限の貯留位置においてパチンコ玉が貯留された可動プレート５を上限の非貯留位置まで持ち上げる際にスライダ１８を移動させるための操作力Ｆの垂直上方の分力Ｆ１（可動プレート５を持ち上げようとする分力）が比較的大きいため、可動プレート５を非貯留位置まで比較的小さな力で操作性良く容易に持ち上げてパチンコ玉を排出することができる。
【００６６】
更に、玉受皿１の外部からスライダ１８を水平移動させる操作レバー６を備えたため、可動プレート５の昇降動を駆動部等（モータ等）を用いる必要がなく、下皿４２から落下するパチンコ玉を安価な構成で貯留、排出可能とする玉受皿１を提供することができる。
【００６７】
又、下限の貯留位置において可動プレート５に貯留されているパチンコ玉を排出するに際して可動プレート５を持ち上げる場合、スプリング２３が可動プレート５の持ち上げを補助（アシスト）するため、必要な操作力が軽減されて操作性が更に高められる。そして、貯留されるパチンコ玉が次第に増えると、可動プレート５はパチンコ玉の自重によって下限の貯留位置まで降下することが可能となる。
【００６８】
又、スライダ１８の昇降ガイド溝１９Ａ，２０Ａにそれぞれ形成された係止部１９ａ，２０ａに可動プレート５をスプリング２３の上方への付勢力によって係止することによって、該可動プレート５を上限の非貯留位置と下限の貯留位置との中間の、下皿４２から落下するパチンコ玉を受け入れ可能な貯留待機位置に固定することが可能となり、この貯留待機位置においてパチンコ玉を可動プレート５で受けて貯留することができる。
【００６９】
更に、Ｘ字状に連結された一対のリンクアーム１２，１３によって平行リンク機構を構成することによって、可動プレート５上にパチンコ玉が貯留されても、該可動プレート５の水平状態を維持することができる。
【００７０】
又、可動プレート５が貯留待機位置及び下限の貯留位置にあるときに玉止シャッタ２５の先端に形成された玉止片２５Ａがレール４に突出するため、貯留待機位置及び下限の貯留位置にある可動プレート５にパチンコ玉を貯留したい場合にレール４側に跳ねたパチンコ玉が排出されることなく可動プレート５で受けたパチンコ玉を確実に貯留することができる。
【符号の説明】
【００７１】
１              玉受皿
１Ａ            玉受皿の上ケース
１Ｂ            玉受皿の下ケース
１ａ            玉受皿の開口部
１ｂ            玉受皿のガイド溝
１ｃ            玉受皿の軸受部
１ｄ            軸受部の軸
１ｅ            玉受皿のガイド溝
１ｆ            玉受皿の貫通孔
１ｇ            玉受皿のリブ
１ｈ，１ｉ      玉受皿のガイド溝
２              玉受皿のガイド部
３              玉受皿の貯留部
４              玉受皿のレール
５              可動プレート
５Ａ            可動プレートの玉受面
５ａ            可動プレートの軸受部
６              操作レバー（操作部）
７              隙間遮蔽部材
８              プレートガイド
９              プレートガイドローラ
１０            アームガイド
１０ａ          アームガイドのガイド溝
１１            バネ軸
１２            リンクアーム
１２ａ          リンクアームのピン
１２ｂ          リンクアームの軸孔
１３            リンクアーム
１３ａ，１３ｂ  リンクアームのピン
１４            アーム連結板
１４ａ          アーム連結板の軸受部
１４ｂ          アーム連結板のガイドレール
１４ｃ          アーム連結板の凸部
１５            軸
１６            アームガイド
１６ａ          アームガイドのガイド溝
１７            縦リブ
１８            スライダ
１９，２０      昇降部材
１９Ａ，２０Ａ  昇降ガイド溝
１９ａ，２０ａ  昇降ガイド溝の係止部
１９ｂ          昇降部材のガイド突起
２０ｂ，２０ｃ  シャッタガイド溝の水平部
２０ｄ          シャッタガイド溝の傾斜部
２１            連結部材
２２            ローラ
２３            スプリング（付勢部材）
２４            バネ受け
２５            玉止シャッタ
２５Ａ          玉止シャッタの玉止片
２５ａ          玉止シャッタの嵌合突起
２６            シャッタガイド突起
３０            玉計数装置
３１            連結通路
４０            遊技機
４１            遊技機の上皿
４２            遊技機の下皿
５０            玉貸機
５１            玉貸機の紙幣挿入口
５２            玉貸機の玉払ノズル
５３            玉貸機の表示部
【図１】
2011098063.tif 000003
【図２】
2011098063.tif 000004
【図３】
2011098063.tif 000005
【図４】
2011098063.tif 000006
【図５】
2011098063.tif 000007
【図６】
2011098063.tif 000008
【図７】
2011098063.tif 000009
【図８】
2011098063.tif 000010
【図９】
2011098063.tif 000011
【図１０】
2011098063.tif 000012
【図１１】
2011098063.tif 000013